(57)【要約】  【課題】  時系列的に前後する複数の静止画で構成される動画から静止画を抽出し、抽出した静止画に、当該動画に係る日時情報に基づく日時情報を付加することが可能な画像取得装置及び撮像装置を提供することを目的とする。  【解決手段】  デジタルカメラ１は、カメラ部１５で撮像した動画に、この動画中の最後の静止画に対応する撮像日時を付加して記録媒体２０に記録させており、記録媒体２０に記録してある動画の表示部２９での再生処理中に所望の静止画の選択を受け付ける。制御部１０は、選択を受け付けた静止画を特定すると共に、特定した静止画と当該動画中の最後の静止画との時間間隔を計測する。また、制御部１０は、当該動画の最後の静止画における撮像日時から、計測した時間間隔だけ遡った日時を算出し、算出した日時を表記するための文字情報を作成して、特定した静止画に合成する。【選択図】      図１
2005341412.tif 000002
【特許請求の範囲】
【請求項１】
時系列的に前後する複数の静止画で構成され、該静止画のうちの基準静止画に係る日時情報を有する動画から静止画を取得する画像取得装置であって、
前記複数の静止画のうちの最初の静止画又は最後の静止画からの時間差を受け付ける時間差受付手段と、
該時間差受付手段が受け付けた時間差に対応する静止画を特定する特定手段と、
前記時間差受付手段が受け付けた時間差に基づいて、前記特定手段が特定した静止画及び前記基準静止画の時間間隔を計測する計測手段と、
該計測手段が計測した時間間隔及び前記基準静止画に係る日時情報に基づいて、前記特定手段が特定した静止画に係る日時情報を算出する算出手段と
を備えることを特徴とする画像取得装置。
【請求項２】
時系列的に前後する複数の静止画で構成され、該静止画のうちの基準静止画に係る日時情報を有する動画から静止画を取得する画像取得装置であって、
前記動画を再生する動画再生手段と、
該動画再生手段が再生する動画を構成する静止画の選択を受け付ける選択受付手段と、
該選択受付手段が選択を受け付けた静止画を特定する特定手段と、
該特定手段が特定した静止画及び前記基準静止画の時間間隔を計測する計測手段と、
該計測手段が計測した時間間隔及び前記基準静止画に係る日時情報に基づいて、前記特定手段が特定した静止画に係る日時情報を算出する算出手段と
を備えることを特徴とする画像取得装置。
【請求項３】
前記算出手段が算出した日時情報が示す日時を表記するための文字情報を作成する文字作成手段と、
該文字作成手段が作成した文字情報を前記特定手段が特定した静止画に合成する合成手段と
を備えることを特徴とする請求項１又は２に記載の画像取得装置。
【請求項４】
前記基準静止画は、前記動画を構成する静止画のうちの最後の静止画であり、
前記算出手段は、前記基準静止画に係る日時情報が示す日時から、前記計測手段が計測した時間間隔だけ遡った日時を算出するように構成してあることを特徴とする請求項１乃至３のいずれかひとつに記載の画像取得装置。
【請求項５】
時系列的に前後する複数の静止画で構成され、該静止画のうちの最初の静止画又は最後の静止画に係る撮像日時を有する動画を撮像する撮像装置において、
撮像した動画中の最初の静止画又は最後の静止画からの時間差を受け付ける時間差受付手段と、
該時間差受付手段が受け付けた時間差に対応する静止画を特定する特定手段と、
前記時間差受付手段が受け付けた時間差に基づいて、前記特定手段が特定した静止画及び、前記最初の静止画又は最後の静止画の時間間隔を計測する計測手段と、
該計測手段が計測した時間間隔及び、前記最初の静止画又は最後の静止画に係る撮像日時に基づいて、前記特定手段が特定した静止画に係る撮像日時を算出する算出手段と、
該算出手段が算出した撮像日時を表記するための文字情報を作成する文字作成手段と、
該文字作成手段が作成した文字情報を前記特定手段が特定した静止画に合成する合成手段と、
該合成手段が文字情報を合成した静止画を記憶する記憶手段と
を備えることを特徴とする撮像装置。
【請求項６】
時系列的に前後する複数の静止画で構成され、該静止画のうちの最初の静止画又は最後の静止画に係る撮像日時を有する動画を撮像する撮像装置において、
撮像した動画を再生する動画再生手段と、
該動画再生手段が再生する動画を構成する静止画の選択を受け付ける選択受付手段と、
該選択受付手段が選択を受け付けた静止画を特定する特定手段と、
該特定手段が特定した静止画及び、前記最初の静止画又は最後の静止画の時間間隔を計測する計測手段と、
該計測手段が計測した時間間隔及び、前記最初の静止画又は最後の静止画に係る撮像日時に基づいて、前記特定手段が特定した静止画に係る撮像日時を算出する算出手段と、
該算出手段が算出した撮像日時を表記するための文字情報を作成する文字作成手段と、
該文字作成手段が作成した文字情報を前記特定手段が特定した静止画に合成する合成手段と、
該合成手段が文字情報を合成した静止画を記憶する記憶手段と
を備えることを特徴とする撮像装置。
【発明の詳細な説明】
【技術分野】
【０００１】
本発明は、時系列的に前後する複数の静止画で構成される動画から静止画を取得する画像取得装置及び撮像装置に関するものである。
【背景技術】
【０００２】
静止画及び動画等を撮影して得られた画像を記録媒体に記録できるデジタルカメラが普及しており、デジタルカメラで撮影した画像を自身のモニタで再生させることができる。また、デジタルカメラは、テレビジョン装置及びディスプレイ装置等の表示装置とケーブルを介して接続できるように構成されており、撮影した画像を表示装置へ転送して表示装置で再生させることができる。一方、テレビジョン放送による放送番組を受信して記録媒体に記録し、必要に応じて記録媒体から放送番組を読み出して、自身のモニタまたは接続された外部の表示装置で再生できる記録再生装置も普及している。
【０００３】
このように取得した画像を記録し、再生できる装置においては、記録してある画像を再生する際にユーザが所望の画像を容易に探し出せることが重要である。従って、デジタルカメラにおいては、撮影した画像を各画像に関する情報と共に記録しておき、各画像に関する情報に基づいて所望の画像を検索する構成を有する装置がある（例えば、特許文献１参照）。また、記録再生装置においては、それぞれの放送番組に対応して、放送番組の放送時刻及び放送チャンネル等の番組情報を記録しておき、各放送番組の番組情報に基づいて所望の放送番組を検索する構成を有する装置がある（例えば、特許文献２参照）。
【０００４】
また、上述したようなデジタルカメラが撮影した画像に関する情報、記録再生装置に記録してある放送番組に関する番組情報と共に、デジタルカメラが撮影した画像及び記録再生装置に記録してある放送番組を示すサムネイルを表示させる装置も提供されており、このような装置を用いた場合には、ユーザは、表示されたサムネイルに基づいて所望の画像または放送番組をより容易に選択することができる。
【０００５】
一方、パーソナルコンピュータに読み込ませて実行させることにより、動画から静止画を抽出する画像処理を行なうことが可能なソフトウェアが提供されており、このようなソフトウェアを読み込ませたパーソナルコンピュータに、デジタルカメラによって撮像して得られた動画を取り込ませて実行させることによって、ユーザが所望する動画から静止画を抽出することができ、抽出した静止画をサムネイルに用いることもできる。
【特許文献１】特開２００４−８８２５２号公報
【特許文献２】特開２００３−３２５８２号公報
【発明の開示】
【発明が解決しようとする課題】
【０００６】
しかし、上述したような各画像を、例えばＨＤＤ（Hard Disk Drive）等の大容量の記録媒体に記憶させる装置においては、膨大な数の画像の記録が可能であり、上述したように各画像に関する情報及びサムネイルに基づく場合であっても、所望の画像を探し出すことは非常に困難であるという問題がある。
【０００７】
また、パーソナルコンピュータによって実行させることによりデジタルカメラで撮像した動画から静止画を抽出する場合には、撮像した動画をパーソナルコンピュータに読み込ませる必要があると共に、所定の手順でパーソナルコンピュータを操作する必要があり、ユーザによるパーソナルコンピュータの操作が煩雑である。更に、パーソナルコンピュータによって実行させることにより動画から静止画を抽出するソフトウェアを用いた場合であっても、デジタルカメラで撮像した動画の撮像日時を、動画から抽出した静止画に反映させる処理を行なうようなソフトウェアは提供されていない。
【０００８】
本発明は斯かる事情に鑑みてなされたものであり、時系列的に前後する複数の静止画により構成される動画から所望の静止画を抽出し、抽出した静止画に、当該動画に係る日時情報に基づく日時情報を付加することが可能な画像取得装置及び撮像装置を提供することを目的とする。
【課題を解決するための手段】
【０００９】
本発明に係る画像取得装置は、時系列的に前後する複数の静止画で構成され、該静止画のうちの基準静止画に係る日時情報を有する動画から静止画を取得する画像取得装置であって、前記複数の静止画のうちの最初の静止画又は最後の静止画からの時間差を受け付ける時間差受付手段と、該時間差受付手段が受け付けた時間差に対応する静止画を特定する特定手段と、前記時間差受付手段が受け付けた時間差に基づいて、前記特定手段が特定した静止画及び前記基準静止画の時間間隔を計測する計測手段と、該計測手段が計測した時間間隔及び前記基準静止画に係る日時情報に基づいて、前記特定手段が特定した静止画に係る日時情報を算出する算出手段とを備えることを特徴とする。
【００１０】
本発明にあっては、時系列的に前後する複数の静止画で構成され、該静止画のうちの基準静止画に係る日時情報を有する動画の最初の静止画又は最後の静止画からの時間差を受け付け、受け付けた時間差に対応する静止画を特定すると共に、受け付けた時間差に基づいて、特定した静止画及び前記基準静止画の時間間隔を計測する。また、計測した時間間隔及び前記基準静止画に係る日時情報に基づいて、特定した静止画に係る日時情報を算出する。従って、例えば、ユーザは、動画から抽出したい静止画を動画の最初の静止画又は最後の静止画からの時間差に基づいて特定することが可能であり、動画から抽出された静止画に、動画中の基準静止画に係る日時情報に基づく日時情報を付加することが可能となる。
【００１１】
本発明に係る画像取得装置は、時系列的に前後する複数の静止画で構成され、該静止画のうちの基準静止画に係る日時情報を有する動画から静止画を取得する画像取得装置であって、前記動画を再生する動画再生手段と、該動画再生手段が再生する動画を構成する静止画の選択を受け付ける選択受付手段と、該選択受付手段が選択を受け付けた静止画を特定する特定手段と、該特定手段が特定した静止画及び前記基準静止画の時間間隔を計測する計測手段と、該計測手段が計測した時間間隔及び前記基準静止画に係る日時情報に基づいて、前記特定手段が特定した静止画に係る日時情報を算出する算出手段とを備えることを特徴とする。
【００１２】
本発明にあっては、時系列的に前後する複数の静止画で構成され、該静止画のうちの基準静止画に係る日時情報を有する動画の再生中に、動画中の静止画の選択を受け付け、選択を受け付けた静止画を特定すると共に、特定した静止画及び前記基準静止画の時間間隔を計測する。また、計測した時間間隔及び前記基準静止画に係る日時情報に基づいて、特定した静止画に係る日時情報を算出する。従って、例えば、ユーザは、動画から抽出したい静止画を、動画の再生中に選択することが可能となり、動画から抽出された静止画に、動画中の基準静止画に係る日時情報に基づく日時情報を付加することが可能となる。
【００１３】
本発明に係る画像取得装置は、前記算出手段が算出した日時情報が示す日時を表記するための文字情報を作成する文字作成手段と、該文字作成手段が作成した文字情報を前記特定手段が特定した静止画に合成する合成手段とを備えることを特徴とする。
【００１４】
本発明にあっては、動画から特定された静止画に対応して算出された日時情報が示す日時を表記する文字情報を作成し、作成した文字情報を、特定された静止画に合成することにより、動画における日時情報から算出した日時情報が示す日時を付加した静止画を生成することが可能となる。
【００１５】
本発明に係る画像取得装置は、前記基準静止画は、前記動画を構成する静止画のうちの最後の静止画であり、前記算出手段は、前記基準静止画に係る日時情報が示す日時から、前記計測手段が計測した時間間隔だけ遡った日時を算出するように構成してあることを特徴とする。
【００１６】
本発明にあっては、動画における基準静止画が当該動画に含まれる静止画のうちの最後の静止画である場合に、基準静止画における日時情報が示す日時から、特定された静止画と基準静止画との時間間隔だけ遡った日時を、特定された静止画における日時とする。このように、動画における基準静止画の日時に基づいて、ユーザによって選択された静止画における日時を容易に算出することが可能である。
【００１７】
本発明に係る撮像装置は、時系列的に前後する複数の静止画で構成され、該静止画のうちの最初の静止画又は最後の静止画に係る撮像日時を有する動画を撮像する撮像装置において、撮像した動画中の最初の静止画又は最後の静止画からの時間差を受け付ける時間差受付手段と、該時間差受付手段が受け付けた時間差に対応する静止画を特定する特定手段と、前記時間差受付手段が受け付けた時間差に基づいて、前記特定手段が特定した静止画及び、前記最初の静止画又は最後の静止画の時間間隔を計測する計測手段と、該計測手段が計測した時間間隔及び、前記最初の静止画又は最後の静止画に係る撮像日時に基づいて、前記特定手段が特定した静止画に係る撮像日時を算出する算出手段と、該算出手段が算出した撮像日時を表記するための文字情報を作成する文字作成手段と、該文字作成手段が作成した文字情報を前記特定手段が特定した静止画に合成する合成手段と、該合成手段が文字情報を合成した静止画を記憶する記憶手段とを備えることを特徴とする。
【００１８】
本発明にあっては、時系列的に前後する複数の静止画で構成され、該静止画のうちの最初の静止画又は最後の静止画に係る撮像日時を有する動画を撮像する撮像装置が、撮像して得られた動画中の最初の静止画又は最後の静止画からの時間差を受け付け、受け付けた時間差に対応する静止画を特定すると共に、特定した静止画に対応する日時情報を算出する。従って、ユーザは、撮像装置で撮像した動画から抽出したい静止画を動画の最初の静止画又は最後の静止画からの時間差に基づいて特定することが可能であり、動画から抽出された静止画に、動画中の基準静止画である最初の静止画又は最後の静止画における撮像日時に基づく撮像日時を付加することが可能となる。また、算出した撮像日時を表記するための文字情報を作成して動画から特定された静止画に合成することにより、動画から取得した静止画に日付を付すことが可能となる。
【００１９】
本発明に係る撮像装置は、時系列的に前後する複数の静止画で構成され、該静止画のうちの最初の静止画又は最後の静止画に係る撮像日時を有する動画を撮像する撮像装置において、撮像した動画を再生する動画再生手段と、該動画再生手段が再生する動画を構成する静止画の選択を受け付ける選択受付手段と、該選択受付手段が選択を受け付けた静止画を特定する特定手段と、該特定手段が特定した静止画及び、前記最初の静止画又は最後の静止画の時間間隔を計測する計測手段と、該計測手段が計測した時間間隔及び、前記最初の静止画又は最後の静止画に係る撮像日時に基づいて、前記特定手段が特定した静止画に係る撮像日時を算出する算出手段と、該算出手段が算出した撮像日時を表記するための文字情報を作成する文字作成手段と、該文字作成手段が作成した文字情報を前記特定手段が特定した静止画に合成する合成手段と、該合成手段が文字情報を合成した静止画を記憶する記憶手段とを備えることを特徴とする。
【００２０】
本発明にあっては、時系列的に前後する複数の静止画で構成され、該静止画のうちの最初の静止画又は最後の静止画に係る撮像日時を有する動画を撮像する撮像装置が、撮像して得られた動画の再生中に動画中の静止画の選択を受け付け、選択を受け付けた静止画を特定すると共に、特定した静止画に対応する日時情報を算出する。従って、ユーザは、動画から抽出したい静止画を、動画の再生中に選択することが可能となり、動画から抽出された静止画に、動画中の基準静止画における日時情報に基づく日時情報を付加することが可能となる。また、算出した撮像日時を表記するための文字情報を作成して動画から特定された静止画に合成することにより、動画から取得した静止画に日付を付すことが可能となる。
【発明の効果】
【００２１】
本発明では、例えばユーザが動画中の最初の静止画又は最後の静止画との時間差を指定することにより、指定された時間差に対応する静止画を特定すると共に、指定された時間差に基づいて、特定された静止画における日時情報を算出する。また、ユーザは動画の再生中に所望の静止画を選択することができ、選択された静止画を特定すると共に、特定された静止画における日時情報を算出する。よって、動画から所望の静止画を特定して抽出できるだけでなく、抽出した静止画に対して、動画における日時情報に基づく日時情報を付加することができる。
【００２２】
また、動画から抽出された静止画に、該静止画に対応して算出された日時情報が示す日時を表記する文字情報を合成することにより、例えば、日時を表記した静止画を写真として画像出力することができる。更に、複数の動画を記録し、必要に応じて再生処理を行なう装置において、記録してある動画のそれぞれから抽出した静止画を各動画のインデックス画像として表示することにより、それぞれのインデックス画像に基づいて、ユーザが所望の動画を容易に探し出すことができる。
【００２３】
本発明では、動画における基準静止画が当該動画に含まれる静止画のうちの最後の静止画である場合に、動画から特定された静止画と最後の静止画との時間間隔を計測し、最後の静止画における日時情報が示す日時から、計測した時間間隔だけ遡った日時を、特定された静止画における日時とすることにより、動画における日時情報に基づいて、動画から抽出される静止画の日時を容易に算出することができる。従って、例えば、Motion ＪＰＥＧ（Motion Joint Photographic Expert Group）方式、ＭＰＥＧ２（Moving Picture Expert Group 2）方式又はＭＰＥＧ４方式に基づく圧縮処理が行なわれた上で記録日時情報を示すタイムスタンプが付されて記録媒体に記録される動画から静止画を抽出する場合に、抽出された静止画に対応する日時情報を、前記タイムスタンプが示す日時情報に基づいて算出することができる。
【発明を実施するための最良の形態】
【００２４】
以下に、本発明をその実施の形態である画像取得装置及び撮像装置を示す図面に基づいて詳述する。図１は本発明に係る画像取得装置及び撮像装置としてのデジタルカメラの構成例を示す模式図である。本実施の形態に係るデジタルカメラ１は、制御部１０、ＲＯＭ１１、ＲＡＭ１２、タイマ１３、Ａ／Ｄ変換器１６、信号処理部１７、画像圧縮伸張部１８、表示部１９、記録媒体２０等を備えており、それぞれはシステムバス１ａを介して相互に接続されている。
【００２５】
制御部１０は、図示しない時計手段を有するＣＰＵ（Central Processing Unit ）又はＭＰＵ（Micro Processor Unit）等により構成されており、システムバス１ａを介して接続される上述したようなハードウェア各部を制御すると共に、ＲＯＭ１１に予め格納されている制御プログラムに従って種々の動作を実行する。ＲＯＭ１１は、デジタルカメラ１を本発明に係る画像取得装置及び撮像装置として動作させるために必要な種々の制御プログラムを予め記憶している。ＲＡＭ１２は、ＳＲＡＭ又はフラッシュメモリ等で構成され、制御部１０による制御プログラムの実行時に発生するデータを一時的に記憶する。
【００２６】
制御部１０は操作部１４と接続されている。操作部１４は、デジタルカメラ１をユーザが操作するために必要な各種のキーを備えており、ユーザにより各キーが操作された場合、操作されたキーに対応した制御信号を制御部１０へ送出し、制御部１０は取得した制御信号に対応した処理を実行する。タイマ１３は、制御部１０からの指示により計時処理を開始し、また制御部１０からの指示により計時処理を終了する。
【００２７】
Ａ／Ｄ変換器１６にはカメラ部１５が接続されている。カメラ部１５は、ＣＣＤを介して入力された光信号を光電変換することによりアナログの画像信号を生成し、Ａ／Ｄ変換器１６へ入力する。Ａ／Ｄ変換器１６は、カメラ部１５から入力されたアナログの画像信号を所定の増幅率で増幅する増幅器（図示せず）、増幅された画像信号を一定のタイミング毎にサンプリングする相関二重サンプリング機能（ＣＤＳ）等を内蔵しており、ＣＤＳによるサンプリング処理により得られた各値をデジタル信号に変換し、得られたデジタルの画像信号を信号処理部１７へ入力する。
【００２８】
信号処理部１７は、カメラ部１５で撮像して得られた画像信号に対して例えば、ガンマ補正処理、フィルタリング処理、輪郭強調処理等の所定の信号処理を実行してＹＵＶ（Ｙ：輝度信号、Ｕ：赤の色差信号、Ｖ：青の色差信号）信号を生成し、生成したＹＵＶ信号を画像圧縮伸張部１８へ入力する。
【００２９】
画像圧縮伸張部１８は、例えばＭＰＥＧ（Moving Picture Expert Group）方式に基づく圧縮処理及び伸張処理を行なうコーデックであり、信号処理部１７から入力された画像信号（ＹＵＶ信号）に所定の圧縮処理を実行する。なお、画像圧縮伸張部１８は、自身に接続されたメモリ１８ａを圧縮処理及び伸張処理の際のバッファとして利用する。また、信号処理部１７によって所定の信号処理が施された画像信号（ＹＵＶ信号）は、表示部１９へ入力して表示させることもできる。
【００３０】
画像圧縮伸張部１８により圧縮処理が施された画像信号に対して、制御部１０はＲＯＭ１１に記憶されている所定の制御プログラムを実行することにより、自身の時計手段が示す現在時刻（タイムスタンプ）を含む画像情報を付加して記録媒体２０に記録させる。なお、画像情報は、現在時刻が示す当該画像信号の記録媒体２０への記録時刻、当該画像信号の記録時間、当該画像信号がＭＰＥＧ圧縮されたデータであることを示す識別子等を含んでいる。
【００３１】
本実施の形態のデジタルカメラ１では、タイムスタンプを含む画像情報は、画像信号を記録媒体２０へ記録する際に付加するものであり、タイムスタンプが示す記録時刻（日時情報）は、静止画の場合は撮像時刻を示している。また、動画の場合は、時系列的に前後する複数の静止画のうちの最後の静止画（基準静止画）の撮像時刻を示している。
【００３２】
記録媒体２０は、ＨＤＤ、光ディスク又はメモリカード等により構成されており、上述したように、制御部１０により所定の画像情報が付加された画像信号（圧縮信号）を複数記録する。なお、記録媒体２０は、画像情報が付加された画像信号をそれぞれ画像ファイルとして記録しており、各画像ファイル毎に書込処理及び読出処理が行なわれる。
【００３３】
表示部１９は、複数の液晶素子を２次元マトリクス状に配列してなる液晶表示パネルにより構成されており、デジタルカメラ１の動作状況、ユーザに通知すべき情報、信号処理部１７により所定の信号処理が実行された画像信号、記録媒体２０に記録させてある画像信号等の表示を行なう。なお、記録媒体２０に記録させてある画像信号（圧縮信号）は、画像圧縮伸張部１８によって所定の伸張処理が施されて復号された後に表示部１９へ入力される。また、表示部１９をタッチパネル方式のものとすることにより、操作部１４の各種のキーのうちの一部又は全部を代用することも可能である。
【００３４】
上述した構成によって、デジタルカメラ１は、例えばユーザが操作部１４のシャッターボタン（図示せず）を操作した場合、カメラ部１５によってアナログの静止画像信号を取得し、Ａ／Ｄ変換器１６及び信号処理部１７によって所定の信号処理を実行することによって静止画を生成する静止画撮像機能、例えばユーザが操作部１４の録画ボタン（図示せず）を操作した場合に、ユーザにより録画停止ボタン（図示せず）が操作されるまで、カメラ部１５によって例えば１秒当たり３０枚の静止画像信号を取得し、順次Ａ／Ｄ変換器１６及び信号処理部１７によって所定の信号処理を実行することによって動画を生成する動画撮像機能を有する。
【００３５】
また、デジタルカメラ１は、上述したように撮像して得られた画像信号（静止画像信号、動画像信号）を記録媒体２０に蓄積する蓄積機能、撮像して得られた画像信号または記録媒体２０に記録してある画像信号を表示部１９で表示する表示機能等を有する。更に、デジタルカメラ１を外部のコンピュータと接続されるように構成した場合には、撮像して得られた画像信号または記録媒体２０に記録してある画像信号を外部のコンピュータへ送信することも可能となる。
【００３６】
更に、本実施の形態のデジタルカメラ１は、記録媒体２０に記録してある画像信号のうちの動画信号に対して、ユーザが所望する静止画を抽出すると共に、抽出した静止画に対する日時情報を付加する機能も有しており、例えば抽出した静止画を日時情報が付加された写真として画像出力することが可能であり、また、抽出した静止画を当該動画のインデックス画像とすることもできる。
【００３７】
以下に、本実施の形態のデジタルカメラ１において、記録媒体２０に記録された動画から静止画を取得する処理について説明する。ユーザが静止画を取得したい動画を選択した場合、制御部１０は、選択された動画を記録媒体２０から読み出して表示部１９に入力して表示部（動画再生手段）１９で再生させる。ユーザは所望の静止画が表示部１９に表示された場合に所定の操作キーを操作することによって、所望の静止画の選択を行なうことができる。デジタルカメラ１において、制御部１０は、ユーザが所望する動画の表示部１９での再生処理を開始させた場合、タイマ１３による計時処理を開始させる。
【００３８】
制御部１０は、ユーザが所望の静止画を特定すべく所定の操作キーを操作した場合、順次再生される動画中の静止画の選択を受け付ける選択受付手段として動作し、この時点で表示部１９に表示されている静止画を特定する特定手段として動作する。また、制御部１０は、特定した静止画、即ち、ユーザが所定の操作キーを操作した時点で表示部１９に表示されていた静止画像信号を抽出してＲＡＭ１２に記憶させると共に、タイマ１３による計時処理を終了させる。
【００３９】
次に、制御部１０は、タイマ１３が示す計測時間に基づいて、ユーザから選択された静止画と基準静止画である最後の静止画との時間間隔を計測する計測手段として動作する。即ち、この動画における画像情報が示す記録時間から、タイマ１３が示す計測時間を差し引いた時間が、ユーザによって選択された静止画と最後の静止画との時間間隔を示しており、この時間間隔を計測する。具体的には、例えば、記録時間が３０分である動画において、ユーザが所望の静止画を選択した時点でのタイマ１３が１０分を示している場合、制御部１０は、ユーザによって選択された静止画と最後の静止画との時間間隔が２０分であることを算出する。
【００４０】
更に、制御部１０は、最後の静止画に対応する撮像日時から、上述のように計測された時間間隔だけ遡った日時を算出することによって、ユーザから選択された静止画における撮像日時（日時情報）を算出する算出手段として動作する。例えば、上述したようにユーザによって選択された静止画と最後の静止画との時間間隔が２０分であり、タイムスタンプが示す日時が２００４年４月３０日１４時３０分である場合、静止画生成部２１は、ユーザによって選択された静止画に対応する撮像日時として、２００４年４月３０日１４時１０分を算出することができる。
【００４１】
図２は本発明に係るデジタルカメラ１において動画から静止画を取得する処理手順を示すフローチャートである。デジタルカメラ１において、ユーザが操作部１４の所定の操作キーを操作することにより記録媒体２０に記録させてある動画の再生を指示した場合、制御部１０は、記録媒体２０に記録させてある動画を選択するためにそれぞれの動画のインデックス画像を含む選択画面（図示せず）を表示部１９に表示させる（Ｓ１）。なお、ここで表示されるインデックス画像は、ユーザによって選択された静止画でない場合には、対応する動画における先頭の静止画又は所定時間が経過した時点での静止画を表示する。
【００４２】
ユーザは、それぞれの動画のインデックス画像を含む選択画面に基づいて、所定の操作キーを操作することによって所望する動画を選択することができ、制御部１０は、ユーザによって所定の操作キーが操作されたか否かを判断し（Ｓ２）、所定の操作キーが操作されていないと判断した場合（Ｓ２：ＮＯ）、選択画面の表示を続行する（Ｓ１）。また、制御部１０は、所定の操作キーが操作されたと判断した場合（Ｓ２：ＹＥＳ）、記録媒体２０から対応する動画信号を読み出し、画像圧縮伸張部１８によって伸張処理を実行する（Ｓ３）。
【００４３】
画像圧縮伸張部１８は、伸張処理を行なって伸張した動画信号を順次表示部１９へ入力して表示部１９で表示させ、制御部１０はタイマ１３に計時処理を開始させる（Ｓ４）。ユーザは、表示部１９に表示される動画を見ながら、所望の静止画を探し出し、所望の静止画を見つけた場合に、操作部１４の所定の操作キーを操作する。制御部１０は、ユーザによって所定の操作キーが操作されたか否かを判断しており（Ｓ５）、操作されていないと判断する場合（Ｓ５：ＮＯ）、画像圧縮伸張部１８が伸張する画像の表示部１９による表示を続行する（Ｓ４）。
【００４４】
制御部１０は、所定の操作キーが操作されたと判断した場合（Ｓ５：ＹＥＳ）、選択された静止画、具体的には、ユーザによって所定の操作キーが操作されたときに表示部１９に表示されていた静止画を抽出してＲＡＭ１２に記憶させ（Ｓ６）、タイマ１３による計時処理を終了させる（Ｓ７）。次に制御部１０は、タイマ１３が計測した計測時間と当該動画における記録時間とに基づいて、ユーザにより選択された静止画における基準静止画（動画中の最後の静止画）との時間間隔を計測する（Ｓ８）。
【００４５】
更に、制御部１０は、タイムスタンプが示す基準静止画における記録日時から、選択された静止画における基準静止画との時間間隔だけ遡った日時を算出することによって、選択された静止画における撮像日時を算出し（Ｓ９）、算出した撮像日時を選択された静止画に付加して記録媒体２０に記録させる（Ｓ１０）。これにより、ユーザは静止画を生成したい動画を表示部１９で順次表示させながら所望の静止画を選択することができ、デジタルカメラ１は、選択された静止画に対応する撮像日時を、当該動画におけるタイムスタンプが示す記録時刻に基づいて付加することができる。
【００４６】
また、制御部１０は、ＲＯＭ１１に予め記憶してある所定の制御プログラムに従って、上述したように算出した撮像日時を表記するための文字情報を作成する文字作成手段として動作し、また、作成した文字情報を、動画から抽出してＲＡＭ１２に記憶してある静止画に合成する合成手段として動作しており、文字情報を合成した静止画をＲＡＭ（記憶手段）１２又は記録媒体（記憶手段）２０に記憶させる。このように文字情報を合成された静止画は、図３に示すように日付が付された写真として画像出力させることができる。
【００４７】
上述したデジタルカメラ１では、記録媒体２０に記録された動画から静止画を取得する際に、ユーザが、例えば選択対象である動画における最初の静止画からの所望の経過時間を設定することによって所望の静止画の選択を行なうことができる。図４は静止画を生成すべき動画を選択するための選択画面の構成例を示す模式図であり、図４に示す選択画面は、記録媒体２０に記録させてあるそれぞれの動画を示すインデックス画像と、選択した動画から抽出すべき静止画について動画の最初の静止画からの経過時間をユーザからの入力によって受け付けるように構成されている。なお、ユーザが入力する所望の経過時間は、動画の最初の静止画、即ち動画の開始時点からの経過時間に限られず、例えば、動画の最後の静止画、即ち動画の終了時点からの時間差としてもよい。
【００４８】
図４に示す選択画面に従って、ユーザが所望の動画を選択し、所望の経過時間を入力してＯＫボタンを操作した場合、制御部１０は、ユーザによって選択された動画から、入力された経過時間、即ち動画の最初の静止画からの時間差を受け付ける時間差を受け付ける時間差受付手段として動作し、受け付けた経過時間に対応する静止画を特定する特定手段として動作する。また、制御部１０は、ユーザにより設定された経過時間に基づいて特定した静止画の静止画像信号を記録媒体２０から読み出してＲＡＭ１２に記憶させる。
【００４９】
次に、制御部１０は、ユーザにより設定された経過時間に基づいて、特定した静止画と基準静止画である最後の静止画との時間間隔を計測する計測手段として動作する。即ち、この動画における画像情報が示す記録時間から、ユーザにより設定された経過時間を差し引いた時間を計測する。更に、制御部１０は、最後の静止画に対応する撮像日時から、上述のように計測された時間間隔だけ遡った日時を算出することによって、ユーザが入力した経過時間に対応する静止画における撮像日時（日時情報）を算出する算出手段として動作する。
【００５０】
図５は本発明に係るデジタルカメラ１において動画から静止画を取得する処理手順を示すフローチャートである。ユーザは、デジタルカメラ１に蓄積してある動画のうちの所望の動画について静止画を取得したい場合、操作部１４の所定の操作キーを操作する。制御部１０は、ユーザにより所定の操作キーが操作された場合、図４に示すような選択画面を表示部１９に表示させる（Ｓ１１）。
【００５１】
ユーザは、表示部１９に表示された選択画面に基づいて、操作部１４を操作することによって所望の動画を選択すると共に、選択した動画から抽出したい静止画における経過時間を入力してＯＫボタンを操作する。制御部１０は、ユーザによってＯＫボタンが操作されたか否かを判断しており（Ｓ１２）、ＯＫボタンが操作されていないと判断した場合（Ｓ１２：ＮＯ）、選択画面の表示を続行する（Ｓ１１）。また、制御部１０は、ＯＫボタンが操作されたと判断した場合（Ｓ１２：ＹＥＳ）、ユーザによって入力された経過時間に対応する静止画像信号を記録媒体２０から読み出し、画像圧縮伸張部１８によって伸張処理を実行してＲＡＭ１２に記憶させる（Ｓ１３）。
【００５２】
次に制御部１０は、ユーザによって入力された経過時間と当該動画における記録時間とに基づいて、ユーザによって入力された経過時間に対応する静止画における基準静止画（動画中の最後の静止画）との時間間隔を計測する（Ｓ１４）。また、制御部１０は、タイムスタンプが示す基準静止画における撮像日時から、計測した時間間隔だけ遡った日時を算出することによって、ユーザによって入力された経過時間に対応する静止画における撮像日時を算出し（Ｓ１５）、算出した撮像日時を選択された静止画に付加して記録媒体２０に記録させる（Ｓ１６）。
【００５３】
上述したように、ユーザは静止画を生成したい動画について抽出したい静止画を、動画の開始からの経過時間に基づいて選択することができ、デジタルカメラ１は、選択された静止画に対応する撮像日時を、当該動画におけるタイムスタンプが示す記録時刻に基づいて付加することができる。また、制御部１０は、上述したように算出した撮像日時を表記するための文字情報を作成し、作成した文字情報を、動画から抽出してＲＡＭ１２に記憶してある静止画に合成することにより、図３に示すように日付が付された写真として画像出力させることができる。
【００５４】
上述した実施の形態では、デジタルカメラ１は、カメラ部１５で撮像して記録媒体２０に記録させてある動画から１つの静止画を取得し、取得した静止画に対応する日時情報（撮像日時）を付加する構成について説明したが、例えば外部から動画を取得する構成を備え、外部から取得した動画から静止画を抽出し、対応する日時情報を付加することも可能である。また、上述した実施の形態ではデジタルカメラ１を例として説明したが、各種の記録媒体を有する記録再生装置等の動画の記録が可能な装置であれば本発明を適用することができる。
【００５５】
更に、上述した実施の形態のデジタルカメラ１では、記録媒体２０に記録される動画像信号に付加される画像情報に含まれるタイムスタンプは、動画が含む静止画のうちの最後の静止画を記録媒体２０に記録させた記録時刻を示しており、最後の静止画における記録時刻を基準として所望の静止画における日時情報を算出する構成を有しているが、例えば、ＡＶＩフォーマットのように、動画が含む静止画のうちの最初の静止画を記録媒体２０に記録させる記録時刻を示すヘッダ情報が付加されて記録媒体２０に記録される場合に、このような動画については、ヘッダ情報が示す記録時刻から、動画の開始時刻から抽出したい静止画までの経過時間だけ経過した時刻が、抽出される静止画に対応する日時情報とすることができる。
【図面の簡単な説明】
【００５６】
【図１】本発明に係る画像取得装置及び撮像装置としてのデジタルカメラの構成例を示す模式図である。
【図２】本発明に係るデジタルカメラにおいて動画から静止画を取得する処理手順を示すフローチャートである。
【図３】文字情報を合成された静止画を示す模式図である。
【図４】選択画面の構成例を示す模式図である。
【図５】本発明に係るデジタルカメラにおいて動画から静止画を取得する処理手順を示すフローチャートである。
【符号の説明】
【００５７】
１  デジタルカメラ（画像取得装置、撮像装置）
１０  制御部（選択受付手段、特定手段、計測手段、算出手段、文字作成手段、合成手段、時間差受付手段）
１２  ＲＡＭ（記憶手段）
１５  カメラ部
１９  表示部（動画再生手段）
２０  記録媒体（記憶手段）
【図１】
2005341412.tif 000003
【図２】
2005341412.tif 000004
【図３】
2005341412.tif 000005
【図４】
2005341412.tif 000006
【図５】
2005341412.tif 000007